(57)【要約】【課題】１回の操作によってファイルを消去し、消去操作されたファイルを復活させ、然もメモリ容量の有効活用を図ることが出来るデータ記録装置を提供する。【解決手段】本発明に係るデータ記録装置は、操作キー８によるファイル消去操作に応じて、メモリカード１１の中から消去対象となるファイルを指定し、指定されたファイルを所定の一時消去フォルダーに移動させる。そして、データ記録時には、メモリカード１１の記録エリアの残容量を算出して、記録せんとする一連のデータが記録可能であるかどうかを判断し、記録可能と判断されたときは該データを記録エリアに書き込み、記録不可能と判断されたときは、一時消去フォルダーに含まれるファイルを消去した上で該データを記録エリアに書き込む。【選択図】　　　図１
2004038515.tif 000002
【特許請求の範囲】
【請求項１】
一連の画像データ又は音声データをファイルとしてメモリに記録すると共に、メモリに記録されている複数のファイルを所定のディレクトリ構造の下で管理するデータ記録装置において、
ユーザのファイル消去操作に応じて、消去対象となるファイルを指定する消去ファイル指定手段と、
消去対象として指定されたファイルを所定の一時消去フォルダーに移動させるファイル移動手段と、
データ記録時に、メモリの記録エリアの残容量を算出して、記録せんとする一連のデータが記録可能であるかどうかを判断する判断手段と、
前記判断手段によって一連のデータが記録可能と判断されたとき、該データを記録エリアに書き込む第１のデータ書き込み手段と、
前記判断手段によって一連のデータが記録不可能と判断されたとき、一時消去フォルダーに含まれる少なくとも１つのファイルを消去して記録エリアを拡大し、該データを記録エリアに書き込む第２のデータ書き込み手段
とを具えていることを特徴とするデータ記録装置。
【請求項２】
ファイル消去操作が行なわれた日時をそのファイルの付随情報としてメモリに書き込む消去操作日時書き込み手段を具え、第２データ書き込み手段は、記録エリアの拡大に際して消去操作日時の順番にファイルを消去する請求項１に記載のデータ記録装置。
【請求項３】
一連のデータをメモリに記録する際、記録の度に増大するファイル番号を含むファイル名を付与するファイル名付与手段を具え、第２データ書き込み手段は、記録エリアの拡大に際してファイル番号の大きさの順番にファイルを消去する請求項１に記載のデータ記録装置。
【請求項４】
ユーザのファイル復活操作に応じて、一時消去フォルダーから指定のファイルを元のディレクトリ位置に復活させるファイル復活手段を具えている請求項１乃至請求項３の何れかに記載のデータ記録装置。
【請求項５】
ユーザの復活ファイル検索操作に応じて、一時消去フォルダーから復活させるべきファイルを検索する復活ファイル検索手段を具えている請求項４に記載のデータ記録装置。
【請求項６】
ファイル移動手段は、消去対象として指定されたファイルを一時消去フォルダーに移動させる際、該ファイルの拡張子を特定の拡張子に変更し、ファイル復活手段は、一時消去フォルダーから指定のファイルを復活させる際、該ファイルの拡張子を元の拡張子に変更する請求項４又は請求項５に記載のデータ記録装置。
【請求項７】
一時消去フォルダーは、所定のディレクトリ構造が遵守すべき規格によって拘束されることのないディレクトリ位置に設けられる請求項１乃至請求項６の何れかに記載のデータ記録装置。
【発明の詳細な説明】
【０００１】
【発明の属する技術分野】
本発明は、デジタルカメラやＩＣレコーダの如く、一連の画像データ又は音声データをファイルとしてメモリに記録すると共に、メモリに記録されている複数のファイルを所定のディレクトリ構造の下で管理することが可能なデータ記録装置に関するものである。
【０００２】
【従来の技術】
従来、デジタルカメラにおいては、撮影した静止画や動画の画像データは外部メモリカードにファイル化して記録することが可能となっており、メモリカードに記録されている画像データは、所定の消去操作によって消去することも可能である。
ところで、デジタルカメラ等の小型のデータ記録装置に使用されるメモリカードは、データ容量に制約があるため、一旦消去操作を行なった画像データは復活不能に消去することとして、メモリ容量の有効活用を図っている。
【０００３】
そこで、従来のデジタルカメラにおいては、画像データの消去に際し、消去すべき画像を選択して確定する第１操作と、該操作に応じて発せられる消去確認にＯＫを出す第２操作を行なうこととして、重複操作によって誤消去を防止している。
【０００４】
【発明が解決しようとする課題】
しかしながら、従来のデジタルカメラにおいては、画像データの消去のために重複した操作を行なわねばならないため、操作が煩雑である問題があった。
そこで本発明の目的は、１回のファイル消去操作によって任意のファイルを消去することが可能であると共に、消去操作されたファイルを復活させることが可能であり、然もメモリ容量の有効活用を図ることが出来るデータ記録装置を提供することである。
【０００５】
【課題を解決する為の手段】
本発明に係るデータ記録装置は、
ユーザのファイル消去操作に応じて、消去対象となるファイルを指定する消去ファイル指定手段と、
消去対象として指定されたファイルを所定の一時消去フォルダーに移動させるファイル移動手段と、
データ記録時に、メモリの記録エリアの残容量を算出して、記録せんとする一連のデータが記録可能であるかどうかを判断する判断手段と、
前記判断手段によって一連のデータが記録可能と判断されたとき、該データを記録エリアに書き込む第１のデータ書き込み手段と、
前記判断手段によって一連のデータが記録不可能と判断されたとき、一時消去フォルダーに含まれる少なくとも１つのファイルを消去して記録エリアを拡大し、該データを記録エリアに書き込む第２のデータ書き込み手段
とを具えている。
尚、一時消去フォルダーは、メモリ内のディレクトリ構造が遵守すべき規格によって拘束されることのないディレクトリ位置に設けられる。
【０００６】
上記本発明のデータ記録装置においては、ユーザがファイル消去操作を行なって、消去対象となるファイルを指定すると、指定されたファイルは、所定のディレクトリ中に設けられた一時消去フォルダーに移動されるが、データ自体は消去されず、メモリに保存されたままとなる。従って、この段階では、所定のデータ復活操作を行なうことによって、データを復活させることが出来る。
【０００７】
その後、新たなデータをメモリに記録する場合、先ず、メモリの記録エリアの残容量が算出され、記録せんとするデータが記録可能であるかどうかが判断され、記録可能なとき、該データは記録エリアに書き込まれる。これに対し、データが記録不可能なときは、一時消去フォルダーに含まれる少なくとも１つのファイルのデータが消去されて、記録エリアが拡大された上、新たなデータが記録エリアに書き込まれることになる。尚、ここで言うデータの「消去」とは、その時点で該データを消失させることのみならず、該データを上書き可能な状態におくことを含む概念である。
この様に、新たなデータ記録に伴って、一時消去フォルダー内のデータは例えば古い順番で次々と消去されていくので、メモリ容量の有効活用が図られる。
【０００８】
具体的には、ファイル消去操作が行なわれた日時をそのファイルの付随情報としてメモリに書き込む消去操作日時書き込み手段を具え、第２データ書き込み手段は、記録エリアの拡大に際して消去操作日時の順番にファイルを消去する。
或いは、一連のデータをメモリに記録する際、記録の度に増大するファイル番号を含むファイル名を付与するファイル名付与手段を具え、第２データ書き込み手段は、記録エリアの拡大に際してファイル番号の大きさの順番にファイルを消去する。
該具体的構成によれば、ユーザは記録エリア拡大のために何らの操作を必要としない。
【０００９】
又、具体的には、ユーザのファイル復活操作に応じて、一時消去フォルダーから指定のファイルを元のディレクトリ位置に復活させるファイル復活手段を具えている。これによって、一旦消去したファイルを消去前と同じ保存状態に戻すことが出来るので、該ファイルのその後の取り扱いに支障を来たすことがない。
【００１０】
更に、具体的には、ユーザの復活ファイル検索操作に応じて、一時消去フォルダーから復活させるべきファイルを検索する復活ファイル検索手段を具えている。これによって、ユーザは、所望のファイルを復活させることが出来る。
【００１１】
更に又、ファイル移動手段は、消去対象として指定されたファイルを一時消去フォルダーに移動させる際、該ファイルの拡張子を特定の拡張子に変更し、ファイル復活手段は、一時消去フォルダーから指定のファイルを復活させる際、該ファイルの拡張子を元の拡張子に変更する。これによって、メモリ内のデータが他のデータ記録再生装置に不正に複写された場合における消去ファイルの再生が不可能となり、セキュリティが確保される。
【００１２】
【発明の効果】
本発明に係るデータ記録装置によれば、１回の消去操作によってファイルを消去することが可能であると共に、消去操作されたファイルを復活させることが可能であり、然もメモリ容量の有効活用を図ることが出来る。
【００１３】
【発明の実施の形態】
以下、本発明をデジタルカメラに実施した形態につき、図面に沿って具体的に説明する。
図１は、本発明に係るデジタルカメラ（１）の構成を表わしており、画像撮影のためのＣＣＤ（２）と、ＣＣＤ（２）から得られる画像データ（生データ）に所定に信号処理を施す信号処理部（３）と、ＣＰＵ（４）と、画像データを圧縮する画像圧縮処理部（５）と、演算処理に利用する内蔵メモリ（６）と、カード制御部（７）と、カードＩ／Ｆ（１０）とを具え、カードＩ／Ｆ（１０）には、外部メモリカード（１１）が着脱可能に差し込まれている。又、ＣＰＵ（４）には、操作キー（８）とディスプレイ（９）が接続されている。
【００１４】
画像撮影において、ＣＣＤ（２）から得られる画像データは信号処理部（３）に供給されて、必要な信号処理が施された後、画像圧縮処理部（５）にて圧縮され、圧縮された画像データは、カード制御部（７）による制御の下で外部メモリカード（１１）に１つのファイルとして書き込まれる。
この様にして、複数の画像データがそれぞれファイルとして外部メモリカード（１１）に書き込まれることにより、外部メモリカード（１１）には、例えば図６に示す如きディレクトリ構造が構築されて、ファイルの管理が行なわれる。
【００１５】
図６においては、２つのフォルダー“１００ＳＡＮＤＳ”及び“１０１ＳＡＮＤ”が作成され、フォルダー“１００ＳＡＮＤＳ”には、４つの静止画ファイル“ＳＡＮＹ００１．ｊｐｇ”、“ＳＡＮＹ００２．ｊｐｇ”、“ＳＡＮＹ００３．ｊｐｇ”及び“ＳＡＮＹ００４．ｊｐｇ”が作成されている。又、フォルダー“１００ＳＡＮＤＳ”には、連写画像についてのフォルダー“ＳＥＱＴ０００１”と、動画についてのフォルダー“ＶＣＬＰ”と、音声についてのフォルダー“ＳＵＮＤ”とが作成され、各フォルダーには、連写画像ファイル“ＳＥＱＴ０１０１．ｊｐｇ”“ＳＥＱＴ０１０２．ｊｐｇ”、動画ファイル“ＶＣＬＰ０００１．ｍｏｖ”及び音声ファイル“ＳＵＮＤ０００１．ｗａｖ”が作成されている。
又、フォルダー“１００ＳＡＮＤＳ”には、一時消去フォルダー“ＴＤＥＬ”が作成されている。該一時消去フォルダーのディレクトリ位置は、デジタルカメラの標準規格であるＤＣＦ規格に拘束されないため、この様な一時消去フォルダーを作成することに問題はない。
【００１６】
上記本発明のデジタルカメラ（１）においては、操作キー（８）によって、外部メモリカード（１１）中の任意の１つのファイル或いはフォルダーを削除する操作を行なうと、該ファイル或いはフォルダーは元のディレクトリから一時消去フォルダー“ＴＤＥＬ”に移動される。例えば図６に示す静止画ファイル“ＳＡＮＹ０００２．ｊｐｇ”と連写画像フォルダー“ＶＣＬＰ”を消去する操作を行なうと、図７に示す如く、静止画ファイル“ＳＡＮＹ０００２．ｊｐｇ”及び連写画像フォルダー“ＶＣＬＰ”は、一時消去フォルダー“ＴＤＥＬ”に移動されることになる。又、図６に示す動画ファイル“ＶＣＬＰ０００１．ｍｏｖ”を消去する操作を行なうと、図７に示す如く、一時消去フォルダー“ＴＤＥＬ”には、動画フォルダー“ＶＣＬＰ”が作成された上で、該フォルダーの下に動画ファイル“ＶＣＬＰ０００１．ｍｏｖ”が移動されることになる。但し、一時消去フォルダー“ＴＤＥＬ”に移されたファイルやフォルダーは、データ自体が消去されることはなく、外部メモリカード（１１）に保存されたままである。
従って、後述の如くユーザが所定の消去ファイル復活操作を行なうと、一時消去フォルダー“ＴＤＥＬ”内の指定されたファイルやフォルダーは、元のディレクトリ位置に戻されることになる。
【００１７】
又、図７の如く一時消去フォルダー“ＴＤＥＬ”にファイルやフォルダーが含まれている状態で、外部メモリカード（１１）に新たなデータを記録する操作を行なうと、先ず該データを記録するための容量が外部メモリカード（１１）に残っているかどうかが判断され、容量が残っている場合は、該データは、そのデータの種類に応じたディレクトリ位置にファイルされる。
これに対し、該データを記録する容量が外部メモリカード（１１）に残っていない場合は、一時消去フォルダー“ＴＤＥＬ”中のファイル或いはフォルダーがデータと共に復活不能に消去されて、外部メモリカード（１１）の記録残容量が拡大された後、新たなデータが外部メモリカード（１１）に記録される。
【００１８】
図２は、上記デジタルカメラ（１）における画像撮影時の制御手続きを表わしている。
先ずステップＳ１にて、ユーザ操作によって撮影モードが設定されたかどうかを判断し、イエスと判断されたとき、ステップＳ２にて外部メモリカードの記録エリアの残容量を算出する。
【００１９】
次にステップＳ３では、記録エリアの残容量から撮影可能枚数を算出し、ディスプレイに表示する。続いてステップＳ４では、シャッターボタンが押下されたかどうかを判断し、イエスと判断されたとき、ステップＳ５に移行して、ＣＣＤから画像データを取り込む。
その後、ステップＳ６では、ＣＣＤから取り込んだ画像データが記録エリアに書き込み可能かどうかを判断し、ここでイエスと判断されたときはステップＳ７にて該画像データを記録エリアに書き込んだ後、ステップＳ４に戻ってシャッターボタンの押下に待機する。尚、メモリカードに対する画像データの記録においては、撮影の度に増大するファイル番号を含むファイル名が作成されて、図６に示すディレクトリ構造に追加される。
【００２０】
これに対し、ＣＣＤから取り込んだ画像データが記録エリアに書き込み不能であって図２のステップＳ６にてノーと判断されたときは、ステップＳ８にて一時消去フォルダーがファイルやフォルダーの存在しない空の状態であるかどうかを判断する。ここでノーと判断されたときは、ステップＳ９に移行して、一時消去フォルダー中の最も消去操作日時が古いファイル若しくはフォルダーをデータと共に消去した後、ステップＳ６に戻って記録エリアに書き込み可能かどうかの判断を繰り返す。
この結果、ステップＳ６にてイエスと判断されたときはステップＳ７にて該画像データを記録エリアに書き込む。
一方、ステップＳ８にて一時消去フォルダーが空の状態であってイエスと判断されたときは、ステップＳ１０に移行して、書き込みが不能である旨をディスプレイに表示する。
【００２１】
上記手続きによれば、ユーザは単にシャッターボタンを操作するだけで、必要に応じて一時消去フォルダー中のファイルが消去されつつ、撮影された画像の画像データが外部メモリカードに記録されることになる。従って、一時消去フォルダー中の画像データによってメモリカードの容量が最後まで占有されることはなく、これによってメモリカードの容量の有効活用が図られる。
【００２２】
図３は、外部メモリカード（１１）から任意の１つのファイルを消去するときの制御手続きを表わしている。
先ずステップＳ２０にて、メモリカードに保存されている画像を例えば撮影日時の順序で表示し、ステップＳ２１では、ユーザによって表示画像について消去操作が行なわれたかどうかを判断する。ここでノーと判断されたときは、ステップＳ２２にて表示画像のファイルを次の番号のファイルに変更した後、ステップＳ２０に戻って画像の表示を更新する。
【００２３】
消去操作が行なわれてステップＳ２１にてイエスと判断されたときは、ステップＳ２３に移行して、消去操作の行なわれた画像のファイル（消去ファイル）を一時消去フォルダーに移動させ、更にステップＳ２４にて、ファイル消去操作日時をそのファイルのヘッダーに設けられているユーザ設定管理領域に書き込む。
その後、ステップＳ２５にてユーザによる消去操作が終了したかどうかを判断し、ここでイエスと判断されるまで、ファイルの消去を繰り返す。
【００２４】
上記手続きによれば、ユーザは消去操作を１回行なうだけで、任意のファイルやフォルダーを一時消去フォルダーへ移動させることが出来、これによって画像データは外部メモリカード（１１）に残存したまま復活可能な状態で仮消去されることになる。
【００２５】
図４は、一旦消去操作を行なったファイルを元のディレクトリ位置に復帰させるための制御手続きを表わしている。
先ずステップＳ３１にて復活モードが設定されたかどうかを判断し、イエスと判断されたとき、ステップＳ３２にてユーザによってパスワードが入力されたかどうかを判断する。ここでイエスと判断されたときは、ステップＳ３３にて入力パスワードが正しい（ＯＫ）かどうかを判断し、ノーの場合はステップＳ３４にてパスワードエラー（ＮＧ）の表示を行なった後、ステップＳ３２に戻ってパスワードの入力に待機する。
【００２６】
正しいパスワードが入力されてステップＳ３３にてイエスと判断されたときは、ステップＳ３５に移行して、復活ファイルの検索手続きを実行する。
図５は、復活ファイル検索手続きを表わしており、先ずステップＳ４１にて、ファイル検索方法として「撮影日時順」、「撮影日時指定」及び「ファイル名指定」を表示する。そして、ステップＳ４２にてユーザによって選択操作が行なわれたかどうかを判断し、イエスと判断されたときは、ステップＳ４３にて何れの検索方法が選択されたかを判断する。
【００２７】
撮影日時順が選択されたときは、ステップＳ４４にて、撮影日時順（昇順又は降順）に復活対象となるファイルを選定する。撮影日時指定が選択されたときは、ステップＳ４５にて、ユーザによって指定された撮影日時のファイルを復活対象として選定する。又、ファイル名指定が選択されたときは、ステップＳ４６にて、ユーザによって指定されたファイル名のファイルを復活対象として選定する。
その後、ステップＳ４７にて、ユーザ操作に応じ、選定されたファイルが復活ファイルとして決定されたかどうかを判断し、イエスと判断されたとき、手続きを終了する。
【００２８】
この様にして復活ファイルが検索されると、図４のステップＳ３６では、復活ファイルのファイル名と同一のファイル名を有するファイルが外部メモリカード（１１）に存在するかどうかを判断し、ここでイエスと判断されたときは、復活ファイルのファイル名を重複のないファイル名に変更した後、ステップＳ３８に移行する。
ステップＳ３８では、復活ファイルを元のフォルダーへ移動した後、ステップＳ３９にて、該ファイルのヘッダーに書き込まれているファイル消去操作日時を消去し、手続きを終了する。
【００２９】
上記手続きによれば、ユーザの消去ファイル復活操作によって、誤操作によって消去してしまったファイルや、消去後に必要となったファイルを元のディレクトリ位置に復帰させることが出来るので、ユーザはファイル消去操作を安心して行なうことが出来る。
又、ユーザは、復活させるべき消去ファイルを３つの方法で検索することが出来るので、例えば復活させるべきファイルのファイル名を失念した場合に便利である。
【００３０】
上述の如く、本発明に係るデジタルカメラによれば、１回のファイル消去操作によってメモリカード中の任意のファイルを消去することが可能であると共に、消去操作されたファイルを復活させることが可能であり、然もメモリカードのメモリ容量の有効活用を図ることが可能である。
【００３１】
尚、本発明の各部構成は上記実施の形態に限らず、特許請求の範囲に記載の技術的範囲内で種々の変形が可能である。例えば、一時消去フォルダーは、図６及び図７に示す如く１つのフォルダー“１００ＳＡＮＤＳ”に作成する例に限らず、任意のディレクトリ位置に作成することが可能であり、例えばルートディレクトリ“ＲＯＯＴ”に直接に設けることも可能である。
又、撮影モードにおける一時消去フォルダーのファイル消去では、図２に示すステップＳ９にて最も消去操作日時の古いものから順番に消去する手続きに代えて、図８に示すステップＳ９′の如く、ファイル名に含まれるファイル番号の最も小さなファイル、即ち最も記録日時の古いファイルから順番に消去する手続きを採用することも可能である。
【００３２】
又、消去ファイルを一時消去フォルダーに移動させる際、該ファイルの拡張子“ｊｐｇ”を特定の拡張子、例えば“ｓｓｓ”に変更し、消去ファイルを一時消去フォルダーから復活させる際、該ファイルの拡張子“ｓｓｓ”を元の拡張子“ｊｐｇ”に変更することとすれば、メモリカードが他のデータ記録再生装置に不正に複写されたとしても、該装置によっては拡張子“ｓｓｓ”のファイルは再生不可能であるので、消去ファイルについてのセキュリティが確保される。
【図面の簡単な説明】
【図１】本発明に係るデジタルカメラの構成を示すブロック図である。
【図２】撮影モードの制御手続きを表わすフローチャートである。
【図３】消去モードの制御手続きを表わすフローチャートである。
【図４】復活モードの制御手続きを表わすフローチャートである。
【図５】復活ファイル検索手続きを表わすフローチャートである。
【図６】ファイル消去操作前のディレクトリ構造を表わす図である。
【図７】ファイル消去操作後のディレクトリ構造を表わす図である。
【図８】撮影モードの他の制御手続きを表わすフローチャートである。
【符号の説明】
（１）　デジタルカメラ
（２）　ＣＣＤ
（３）　信号処理部
（４）　ＣＰＵ
（５）　画像圧縮処理部
（６）　内蔵メモリ
（７）　カード制御部
（８）　操作キー
（９）　ディスプレイ
（１０）　カードＩ／Ｆ
（１１）　外部メモリカード
【図１】
2004038515.tif 000003
【図２】
2004038515.tif 000004
【図３】
2004038515.tif 000005
【図４】
2004038515.tif 000006
【図５】
2004038515.tif 000007
【図６】
2004038515.tif 000008
【図７】
2004038515.tif 000009
【図８】
2004038515.tif 000010